(57)【要約】【課題】衣服の装着状態で衣服の外側から膝部保護パットを着用者の膝の高さ位置に合わせた最適位置に取付ける。通気性を向上させる。外観に優れ、弾力性及び耐久性に優れ、軽量且つ簡易な構成で作業能率を向上させる。【解決手段】ズボン１３の脚部２１の膝部に対応する位置に収納ポケット３１を形成する。収納ポケット３１の上部に外部から開閉可能な開口部３３を形成する。開口部３３より膝部保護パット４１を挿入する。収納ポケット３１の内側に第１の面ファスナー５１を取付け、膝部保護パット４１に第１の面ファスナー５１に係止される第２の面ファスナー５２を取付ける。膝部保護パット４１を収納ポケット３１内で位置調整可能に且つ着脱自在に取付ける。【選択図】  図２
2005068562.tif 000002
【特許請求の範囲】
【請求項１】
ズボンの脚部の膝部に対応する位置に収納ポケットが形成され、該収納ポケットの開口部より膝部保護パットが挿入され、前記収納ポケットの内側に第１の面ファスナーが取付けられ、前記膝部保護パットに前記第１の面ファスナーに係止される第２の面ファスナーが取付けられ、前記膝部保護パットが収納ポケット内で位置調整可能に取付けられていることを特徴とする膝部保護パットを有する衣服。
【請求項２】
ズボンの左右一対の脚部の膝部に対応する位置に夫々収納ポケットが形成され、該収納ポケットの上部に開口部が形成され、該収納ポケットの開口部より膝部保護パットが夫々挿入され、前記収納ポケットの内側に第１の面ファスナーが取付けられ、前記膝部保護パットに前記第１の面ファスナーに係止される第２の面ファスナーが取付けられ、前記膝部保護パットが収納ポケット内で位置調整可能に且つ着脱自在に取付けられていることを特徴とする膝部保護パットを有する衣服。
【請求項３】
前記膝部保護パットが弾力性を有するシート状の柔軟な合成樹脂材と、該シート状の合成樹脂材に接合された伸縮性を有する布材とを備えていることを特徴とする請求項１または請求項２に記載の膝部保護パットを有する衣服。
【請求項４】
前記膝部保護パットに通気孔としての多数の小孔が穿設されていることを特徴とする請求項１乃至請求項３の何れかに記載の膝部保護パットを有する衣服。
【請求項５】
前記収納ポケットの開口部にファスナーが取付けられていることを特徴とする請求項１乃至請求項４の何れかに記載の膝部保護パットを有する衣服。
【発明の詳細な説明】
【０００１】
【発明の属する技術分野】
本発明は、膝部保護パットを有する衣服に関し、更に詳細に説明すると、作業服等を着用して作業を行う際に膝を付く作業の負担を軽減することができる膝部保護パットを有する衣服に関する。
【０００２】
【従来の技術】
従来より、ズボンの左右一対の脚部の膝部に対応する位置に膝部保護として、夫々共生地または厚手生地を重ね縫いしたものや、中綿を入れたものが存在する。また膝部をゴム性の生地で構成したズボンやつなぎ服が存在する。更に作業用膝頭カバーを装着用の紐により取付ける構成のものが存在する（例えば、特許文献１参照。）。
【０００３】
【特許文献１】
実開平８−２９１４０４号公報
【０００４】
【発明が解決しようとする課題】
然し乍ら、従来の膝部保護として脚部の膝部に厚手生地を重ね縫いした場合にはゴワ付き機能性に問題があり、表側に厚手生地が露出する場合には外観を悪化させる虞れを有し、また膝を十分に保護することができず、中綿を入れたものでも膝を十分に保護することができず、また洗濯を繰り返すことにより綿が痩せ性能の劣化が著しいものであった。
【０００５】
更に、特許文献１に示される作業用膝頭カバーを装着用の紐により取付ける場合には、簡易迅速に取付けられず、作業が煩雑となる欠点を有し、また常時装着状態となるので膝部が圧迫され、違和感が増大し、更に位置ずれが発生した場合には再度取付け直しを行う必要があった。
【０００６】
また膝保護性能と耐久性を向上させるためには膝部保護パットとしてウレタン等の弾力性を有するシート状の柔軟な合成樹脂材を用いるのが好ましいが、縫着された場合に大型化し、蒸れる等の不具合が発生する欠点を有し、またズボンの外側に取付ける場合には劣化が激しく外観を悪化させていた。
【０００７】
更にウレタン等を縫着した場合には、身長及び体格の異なる着用者の膝の高さ位置に夫々合わせた最適位置に取付けることができず、最適位置への移動調整や着脱が簡易迅速に行えない欠点を有していた。またズボンの内側にウレタン等が取付けられている場合には、ズボンをはいたままでは移動調整や着脱ができないものであった。
【０００８】
本発明の目的は、膝部保護パットを着用者の膝の高さ位置に合わせた最適位置に取付けることができ、衣服の装着状態で衣服の外側から膝部保護パットを最適位置への移動調整が行え、着脱も衣服の装着状態で簡易迅速に行え、膝部が圧迫される虞がなく、膝部の違和感を減少することができ、蒸れる等の不具合が発生する虞がなく通気性を向上させることができ、外観に優れ、弾力性及び耐久性に優れ、軽量且つ簡易な構成で作業能率を向上させることができる経済性に優れた膝部保護パットを有する衣服を提供するものである。
【０００９】
【課題を解決するための手段】
本発明は上述せる課題に鑑みてなされたもので、本発明の請求項１に記載の膝部保護パットを有する衣服は、ズボンの脚部の膝部に対応する位置に収納ポケットが形成され、該収納ポケットの開口部より膝部保護パットが挿入され、前記収納ポケットの内側に第１の面ファスナーが取付けられ、前記膝部保護パットに前記第１の面ファスナーに係止される第２の面ファスナーが取付けられ、前記膝部保護パットが収納ポケット内で位置調整可能に取付けられていることを特徴とする。
【００１０】
また、本発明の請求項２に記載の膝部保護パットを有する衣服は、ズボンの左右一対の脚部の膝部に対応する位置に夫々収納ポケットが形成され、該収納ポケットの上部に開口部が形成され、該収納ポケットの開口部より膝部保護パットが夫々挿入され、前記収納ポケットの内側に第１の面ファスナーが取付けられ、前記膝部保護パットに前記第１の面ファスナーに係止される第２の面ファスナーが取付けられ、前記膝部保護パットが収納ポケット内で位置調整可能に且つ着脱自在に取付けられていることを特徴とする。
【００１１】
また、本発明の請求項３に記載の膝部保護パットを有する衣服は、前記膝部保護パットが弾力性を有するシート状の柔軟な合成樹脂材と、該シート状の合成樹脂材に接合された伸縮性を有する布材とを備えていることを特徴とする。
【００１２】
また、本発明の請求項４に記載の膝部保護パットを有する衣服は、前記膝部保護パットに通気孔としての多数の小孔が穿設されていることを特徴とする。
【００１３】
また、本発明の請求項５に記載の膝部保護パットを有する衣服は、前記収納ポケットの開口部にファスナーが取付けられていることを特徴とする。
【００１４】
【発明の実施の形態】
以下本発明に係る膝部保護パットを有する衣服を図面を参照して詳述する。
図１乃至図４（ａ），（ｂ）には、本発明に係る膝部保護パットを有する衣服の実施の形態が夫々示されており、図１は衣服として上着とズボンが一連に形成されたつなぎ服に本発明を適用した状態を示す膝部保護パットを有する衣服の正面図、図２は図１のＡ部の拡大正面説明図、図３は膝部保護パットの取付状態を示す正面説明図、図４は膝部保護パットを示すもので、（ａ）は裏面図、（ｂ）は側面図を夫々示す。また図５は本発明に係る膝部保護パットを有する衣服の異なる実施の形態を示すもので、ズボンの正面図を示す。
【００１５】
図１乃至図４（ａ），（ｂ）に示す如く、膝部保護パットを有する衣服１１は、本実施の形態では上着１２と、この上着１２の胴部の下端に連設されたズボン１３とを備えるつなぎ服に適用している。この衣服１１は整備用の作業服や運転用のスーツ等に用いられる。
【００１６】
尚、上着１２及びズボン１３は図示の形状に限定されるものではなく、またつなぎ服に限定されるものではなく、図５に示す如く、上着１２と別体に形成されたズボン１３だけの構成であってもよい。また整備用の作業服や運転用のスーツ等に限定されるものではなく、種々の衣服のズボンに適用することができる。
【００１７】
図１に示す如く、前記衣服１１の上着１２は一般的な形状を有している。１５は襟部、１６は左右一対の袖部、１７は身頃である。上着１２の胸には胸ポケット１８が形成されている。前記上着１２の下端に連設されたズボン１３は腰部に対応して形成されたベルト部２０と左右一対の脚部２１を備え、ズボン１３のベルト部２０に近接する左右にはサイドポケット２３が夫々形成されている。
【００１８】
前記左右一対の脚部２１の前面側の膝部に対応する位置に夫々収納ポケット３１が形成され、この収納ポケット３１は、図１から明らかなように、左右一対の脚部２１の裏面側の中間位置に布地を縫着することにより形成されている。この収納ポケット３１の上部に開口部３３が形成されている。収納ポケット３１の開口部３３はズボン１３の左右一対の脚部２１の外側から開閉することができるものである。尚、本実施の形態では開口部３３を収納ポケット３１の上部に形成したが、収納ポケット３１の位置や角度をデザイン等に応じて変更することができる。また本実施の形態では収納ポケット３１を脚部２１の裏面側に一枚の布地を縫着することにより形成したが、別途形成された袋状の収納ポケット３１を開口部３３に縫着するものであってもよい。
【００１９】
また図５に示す如く、開口部３３を収納ポケット３１の側部に形成することができ、更にデザインに応じてサイドポケット２３と同様に斜めに形成することもできる。また収納ポケット３１は略四角形状に形成するものに限定されず、楕円形や円形、または多角形状等に形成することができ、またはデザインされた適宜の図柄とすることもできる。
【００２０】
図２及び図３に示す如く、前記収納ポケット３１の上端の開口部３３より膝部保護パット４１が夫々挿入される。図２に示す如く、収納ポケット３１の上部の開口部３３には線状のファスナー３５が設けられ、このファスナー３５の開閉により膝部保護パット４１が収納ポケット３１に簡易迅速に、且つ着脱自在に挿入される。この膝部保護パット４１は収納ポケット３１より小さく形成することができる。
【００２１】
尚、収納ポケット３１の上部の開口部３３の開閉はファスナー３５に限定されるものではなく、デザインや用途に応じて、ボタン，面ファスナー等に適宜変更することができる。また開口部３３に雨蓋や玉縁３７等を設け、係止部材または開閉部材としてのファスナー３５やボタンを隠し、接触物をキズ等のダメージから保護することができる。
【００２２】
図３及び図４（ａ），（ｂ）に示す如く、前記膝部保護パット４１は弾力性を有するシート状の柔軟な薄いウレタン等の合成樹脂材４２と、このシート状のウレタン等の合成樹脂材４２に接合された伸縮性を有するニット等の布材４３とを備えている。前記柔軟なウレタン等の合成樹脂材４２の厚さは１ｍｍ〜１０ｍｍ、好ましくは４ｍｍ〜６ｍｍ程度である。また布材４３は膝部保護パット４１の引張強度及び引裂強度を向上させている。尚、柔軟な薄いウレタン等の合成樹脂材４２の表面及び裏面を布材４３でサンドイッチするものでもよい。
【００２３】
また膝部保護パット４１に通気孔としての多数の小孔４５が穿設されている。尚、小孔４５の形状，大きさ及び位置は均等な同一ものに限定されず、大きさの異なる小孔４５をランダムに穿設することもでき、長穴を形成することもできる。この小孔４５の数を多くすることにより、または小孔４５の径を大きくすることにより通気性を増大することができる。また膝部保護パット４１の形状は前記収納ポケット３１の形状に対応して円形や多角形等の種々の形状とすることができる。
【００２４】
前記収納ポケット３１を形成する内側の布地にループ状の第１の面ファスナー５１が取付けられ、前記膝部保護パット４１の伸縮性を有するニット等の布材４３側に前記第１の面ファスナー５１に係止されるフック状の第２の面ファスナー５２が取付けられ、前記膝部保護パット４１が収納ポケット３１内で衣服１１の装着者の体格等に応じて、図３に示す如く、上下左右方向に位置調整可能に、且つ着脱自在に取付けられる。
【００２５】
前記第１の面ファスナー５１は収納ポケット３１の内側の膝部側に上下方向に延びて帯状に左右一対形成され、第２の面ファスナー５２は膝部保護パット４１の裏面側の布材４３側の上部に横方向に延びて形成されている。尚、第１の面ファスナー５１及び第２の面ファスナー５２の形状及び取付状態は図示のものに限定されるものではなく、大きさや延びる方向を適宜変更することができる。
【００２６】
従って、第１の面ファスナー５１及び第２の面ファスナー５２により所望の位置に確実に膝部保護パット４１を収納ポケット３１に取付けることができ、然もズボン１３の左右一対の脚部２１の外側から上下左右方向に位置調節しながら装着者の体格等に応じて着脱操作できるので、膝部保護パット４１を小型化することができ、生産コストを削減することができる。また使用状態によっては回動させて取付けることもできる。
【００２７】
【発明の効果】
以上が本発明に係る膝部保護パットを有する衣服の実施の形態であるが、本発明の請求項１に記載の膝部保護パットを有する衣服によれば、ズボンの脚部の膝部に対応する位置に収納ポケットが形成され、該収納ポケットの開口部より膝部保護パットが挿入され、前記収納ポケットの内側に第１の面ファスナーが取付けられ、前記膝部保護パットに前記第１の面ファスナーに係止される第２の面ファスナーが取付けられ、前記膝部保護パットが収納ポケット内で位置調整可能に取付けられているので、膝部保護パットを着用者の膝の高さ位置に合わせた最適位置に取付けることができ、衣服の装着状態で衣服の外側から膝部保護パットを最適位置への移動調整が行え、着脱も衣服の装着状態で簡易迅速に行え、膝部が圧迫される虞がなく、膝部の違和感を減少することができる。
【００２８】
本発明の請求項２に記載の膝部保護パットを有する衣服によれば、ズボンの左右一対の脚部の膝部に対応する位置に夫々収納ポケットが形成され、該収納ポケットの上部に開口部が形成され、該収納ポケットの開口部より膝部保護パットが夫々挿入され、前記収納ポケットの内側に第１の面ファスナーが取付けられ、前記膝部保護パットに前記第１の面ファスナーに係止される第２の面ファスナーが取付けられ、前記膝部保護パットが収納ポケット内で位置調整可能に且つ着脱自在に取付けられているので、膝部保護パットを着用者の膝の高さ位置に合わせた最適位置に取付けることができ、衣服の装着状態で衣服の外側から膝部保護パットを最適位置への移動調整が行え、膝部保護パットの着脱も衣服の装着状態で簡易迅速に行うことができ、膝部が圧迫される虞がなく、膝部の違和感を減少することができる。
【００２９】
本発明の請求項３に記載の膝部保護パットを有する衣服によれば、前記膝部保護パットが弾力性を有するシート状の柔軟な合成樹脂材と、該シート状の合成樹脂材に接合された伸縮性を有する布材とを備えているので、膝部保護パットが柔軟性に優れ、引張強度及び引裂強度を向上させることができ、耐久性を向上させることができる。
【００３０】
本発明の請求項４に記載の膝部保護パットを有する衣服によれば、前記膝部保護パットに通気孔としての多数の小孔が穿設されているので、蒸れる等の不具合が発生する虞がなく通気性を向上させることができる。
【００３１】
本発明の請求項５に記載の膝部保護パットを有する衣服によれば、前記収納ポケットの開口部にファスナーが取付けられているので、簡易迅速に開口部を開閉することができ、軟質で違和感がなく、膝部保護パットが脱落したり、紛失するのを防止することができ、ゴミ等が入り込むのを防止することができ、膝部保護パットを確実に位置規制することができる。
【００３２】
本発明によれば、膝部保護パットを着用者の膝の高さ位置に合わせた最適位置に取付けることができ、衣服の装着状態で衣服の外側から膝部保護パットを最適位置への移動調整が行え、着脱も衣服の装着状態で簡易迅速に行え、膝部が圧迫される虞がなく、膝部の違和感を減少することができ、蒸れる等の不具合が発生する虞がなく通気性を向上させることができ、外観に優れ、弾力性及び耐久性に優れ、軽量且つ簡易な構成で作業能率を向上させることができる経済性に優れた膝部保護パットを有する衣服を得ることができる。
【図面の簡単な説明】
【図１】本発明に係る膝部保護パットを有する衣服をつなぎ服に適用した状態を示す正面図。
【図２】本発明に係る膝部保護パットを有する衣服の図１のＡ部の拡大正面説明図。
【図３】本発明に係る膝部保護パットを有する衣服の膝部保護パットの取付状態を示す正面説明図。
【図４】本発明に係る膝部保護パットを有する衣服の膝部保護パットを示すもので、（ａ）は裏面図、（ｂ）は側面図。
【図５】本発明に係る膝部保護パットを有する衣服の異なる実施の形態を示すズボンの正面図。
【符号の説明】
１１    膝部保護パットを有する衣服
１２    上着
１３    ズボン
２０    ベルト部
２１    脚部
２３    サイドポケット
３１    収納ポケット
３３    開口部
３５    ファスナー
３７    玉縁
４１    膝部保護パット
４２    柔軟な薄い合成樹脂材
４３    布材
４５    小孔
５１    第１の面ファスナー
５２    第２の面ファスナー
【図１】
2005068562.tif 000003
【図２】
2005068562.tif 000004
【図３】
2005068562.tif 000005
【図４】
2005068562.tif 000006
【図５】
2005068562.tif 000007